【事件の表示】
　特願２００２−１８８０８５号「冷蔵庫」拒絶査定不服審判事件〔平成１６年　１月２９日出願公開、特開２００４−　２８４９７号〕について、次のとおり審決する。
【結　論】
　本件審判の請求は、成り立たない。
【理　由】
第１．手続の経緯
　本願は、平成１４年６月２７日の出願であって、平成２０年６月２４日付けで拒絶査定がなされ、これに対して平成２０年７月２５日付けで拒絶査定不服審判が請求されるとともに、平成２０年８月２０日付けで手続補正がなされたものである。
　
第２．平成２０年８月２０日付けの手続補正についての補正却下の決定
［補正却下の決定の結論］
　平成２０年８月２０日付けの手続補正（以下「本件補正」という。）を却下する。
　
［理由］
１．補正後の本願発明
　本件補正により、特許請求の範囲の請求項１は、
「強制通風冷却空気を導入して冷却させる直接冷却貯蔵室と、貯蔵室内に収納容器及びこの収納容器の収納容器カバーを配置し前記収納容器内を間接冷却する間接冷却貯蔵室と、を設けた冷蔵庫であって、　
　前記収納容器カバーは前記冷蔵庫の固定部材とされてこの収納容器カバーに吐出口と吸込口とを有し、　
　前記収納容器内の冷気を循環させる循環送風機と、マイナスイオン発生器とを、前記収納容器カバーの上面に設置すると共に、前記マイナスイオン発生器を前記収納容器カバーに設けた前記吐出口の真上に設置し、　
　
前記循環送風機によって前記吸込口から吸い込まれた前記収納容器内の冷気は、前記循環送風機によって前記吐出口から前記収納容器内へ吹き出されて冷気循環し、
　
前記循環送風機の風下に設置された
のすべて
　上記の補正は、発明を特定するために必要な事項である、循環送風機により循環させる「収納容器内の冷気」に対して、収納容器カバーに設けられた「吸込口」から吸い込まれ、「吐出口」から収納容器へ吹き出されることを限定し、同様に「マイナスイオン発生器」に対して、「循環送風機の風下に設置された」ことを限定し、さらに、「マイナスイオンを含む冷気」に対して、その「すべて」を野菜に直接吹き付けることを限定したものであり、本件補正に係る事項は、願書に最初に添付した明細書又は図面に記載した事項の範囲内においてするものであって、本件補正前の特許請求の範囲の請求項１に記載された発明と、本件補正後の特許請求の範囲の請求項１に記載される発明の産業上の利用分野及び解決しようとする課題が同一であるので、本件補正は、平成１８年法律第５５号改正附則第３条第１項によりなお従前の例とされる同法による改正前の特許法第１７条の２第４項第２号の特許請求の範囲の減縮を目的とするものに該当する。　
　
　そこで、本件補正後の請求項１に記載された発明（以下「本願補正発明」という。）が独立して特許を受けることができるものであるか(平成１８年法律第５５号改正附則第３条第１項によりなお従前の例とされる同法による改正前の特許法第１７条の２第５項において準用する同法第１２６条第５項の規定に適合するかどうか)について以下に検討する。
　
２．引用刊行物とその記載
　刊行物１：特開平５−１４９６７１号公報
　刊行物２：特開２００１−９１１４６号公報
　
（１）原査定の拒絶の理由に引用され、本願出願前に頒布された刊行物１には、「冷凍冷蔵庫」に関して図面とともに以下の記載がある。
　
ア．「【００２８】
【実施例】
　実施例１．以下、この発明の実施例１を図について説明する。なお、本実施例の冷凍冷蔵庫の説明は、従来例と同一または相当部分については図面に同符号を付してその説明を省略する。
図１〜３において、７は冷蔵室３の一部に区画された低温室５内を前後に摺動する前方及び上方を開口したチルドケースで、９はそのチルドケース７外周を形成し庫内に固定設置された低温ボックスである。８はチルドケース７の前方開口部を閉塞するフタ体である。１６は前記チルドケース７の上方開口部を閉塞する上面冷却板で、前記低温ボックス９の外周フランジ部に取り付け固定されている。２２は低温ボックス９背面部に設置された低温ボックス９専用の脱臭ボックスで、脱臭ボックス２２内にはチルドケース７内の空気を強制循環させる送風機２５、ファン２６と脱臭用触媒２４、オゾン発生用電源電極２３が設置されている。低温ボックス９及びチルドケース７には吹出口穴部２８と吸込口穴部２９があり、チルドケース７の吹出口穴部２８と吸込口穴部２９にはそれぞれを投影的に閉塞する遮蔽板２７が設置されている。
脱臭ボックス２２の吹出口穴部２８と吸込口穴部２９の風路はチルドケース７と低温ボックス９間の冷気通路１９を貫通するが、風路の周囲が確実に区画されているので、脱臭ボックス２２内にチルドケース７の周囲を冷却する冷気が入り込むことがなく、また、脱臭ボックス２２からチルドケース内の雰囲気が冷気通路１９内に流出することもない。
（中略）　
【００３０】次に実施例１の冷却作用について説明する。
冷却器２０により冷却された冷気は庫内ファン２１で送風され、冷凍室２に吹き出され冷凍室２を冷却する。その冷気の一部は、冷蔵室３への冷気風路１３を介して冷気吐出口１３ａへ導かれるその冷気吐出口１３ａを開閉するダンパーサーモスタット１４により冷気量を制御して冷蔵室３内を所定温度３℃に冷却する。一方、その冷気の一部は区画壁４内に設けられた冷気通路１５を介して、冷蔵室３、天井面４ｂを一部開口した冷気吐出口１８より吹出し親水性多孔質樹脂材１７によって形成された上面冷却板１６の上側に冷気が流れ上面より間接的に低温室５内を所定温度０℃に冷却する。
【００３１】また、チルドケース７と低温ボックス９間の背面、下面に冷気通路１９を設け、上面冷却板１６を冷却後、冷気の一部が前記冷気通路１９に流れ上面、背面、底面より冷却を行う。
（下線部は当審において加入。以下同様。）　
　
イ．「【００３６】実施例２．なお、上記の実施例１では冷蔵室３内の低温室５を密閉空間にしたものについて専用の脱臭装置を設置したものについて示したが、
図５に示すように野菜ケース３０と天井部に位置しパッキン３２を有するフタ体３１で密閉空間とされた野菜室（温度帯を０℃としたチルド室でもよい）においても同様に野菜ケース３０の背面部に専用の脱臭ボックス２２を設置し
　
ウ．「【００４６】実施例６．以下、この発明の実施例６を図について説明する。なお、本実施例の冷凍冷蔵庫の説明は、従来例及び実施例１と同一のものについては図面に同符号を付してその説明を省略する。図１３〜１６において、２２は低温ボックス９専用のイオン発生装置である。２３はイオナイザ、２３ａは高圧発生器で、２３ｂは高圧発生器２３ａに接続される金属細線である第一電極、２３ｃは高圧発生器２３ａに接続される金属細線である第二電極、２３ｄは第二電極２３ｃと密着した状態で設けられた平板状の誘電体である。３０は第一電極２３ｂと第二電極２３ｃ間の放電空間である。
２５は放電空間２４に発生したマイナスイオンを冷気と共に強制循環させる送風機で、２６はファンである。
【００４７】次に、この実施例６のイオン発生装置について説明する。長さａ1 、ａ2 （ａ1 ＜ａ2 ）の金属細線である第一電極２３ｂと平板状の金属電極である第二電極２３ｃに高圧発生器２３ａより高圧電圧が印加されると、第一電極２３ｂの周囲がプラズマ状態となり、電子が第二電極２３ｃに向かって進む。この時、長さａ1 の第一電極２３ｂ1 に対する放電距離ｄ1 と、長さａ2 の第一電極２３ｂ2 に対する放電距離ｄ2 との関係は、ｄ1 ＞ｄ2 となり、長さａ1 の第一電極２３ｂ1 から放電空間２４に放出された電子のエネルギレベルＥ1 と、長さａ2 の第一電極２３ｂ2 から放電空間３０に放出された電子のエネルギレベルＥ2 との関係は、Ｅ1 ＜Ｅ2 である。長さａ1 の第一電極２３ｂ1 から放出された電子は、放電距離が長く、エネルギレベルは低く、放電空間３０の例えば酸素分子に吸収されて、マイナスイオンを発生する。発生したマイナスイオンは、第二電極２３ｃに流れる前に送風機２５でイオン発生装置２２より放出され、冷気と共にファン２１でチルドケース７内へ放出され、チルドケース７内に収納された食品表面に付着し、マイナスに帯電し、カビ等の発生を防止する。長さａ2 の第一電極２３ｂ2 から放出された電子は、放電距離が短く、エネルギレベルは高く、放電空間２４の酸素分子を分解してオゾンを発生する。発生したオゾンは、送風機２５及びファン２６により強制的にイオン発生装置２２内に取り込まれた臭いの成分を含んだ空気を酸化分解し、この酸化分解作用が脱臭触媒２４により促進され、
脱臭された空気は吹出口穴部より再びチルドケース７内に循環される。
　
エ．「【００４８】実施例７．以下、この発明の実施例７を図について説明する。なお、本実施例の冷凍冷蔵庫の説明は従来例と同一のものについては図面に同符号を付してその説明を省略する。図１７〜２０において、２２はイオン発生装置でイオン発生装置２２内にはイオナイザ２３が設置されている。２３ａは高圧発生器で、２３ｂは高圧発生器２３ａに接続される金属細線である第一電極、２３ｃは高圧発生器２３ａに接続される平板状の金属細線である第二電極、２３ｄは第二電極２３ｃと密着した状態で設けられた平板状の誘電体である。３０は第一電極２３ｂと第二電極２３ｃ間の放電空間である。
２５は放電空間３０に発生したマイナスイオンを冷気と共に強制循環させる送風機で、
２１は冷蔵庫冷気強制循環用の庫内ファンである。
【００４９】次に本実施例の冷却作用について説明する。
冷却器２０により冷却された冷気は、庫内ファン２１で送風され、冷凍室２に吹き出され冷却室２を冷却するその冷気の一部は冷蔵室３へ冷気風路を介して吹き出され、冷蔵室３を冷却するよう冷蔵庫１内を循環している。
【００５０】次にこの発明のイオン発生装置について説明する。第一電極２３ｂと第二電極２３ｃに高圧発生器２３ａより高電圧が印加されると、第一電極２３ｂの周囲がプラズマ状態となり、電子が第二電極２３ｃに向かって進む。その時、放電空間２４の例えば酸素分子に電子が吸収されマイナスイオンが発生する。
発生したマイナスイオンは第二電極２３ｃに流れる前に送風機２５でイオン発生装置２２より放出され、冷気と共に庫内ファン２１で庫内へ放出され、庫内壁や庫内収納食品等に付着し、マイナスに帯電し、カビ等の発生を防止する。
　
オ．「【００５１】実施例８．以下、この発明の実施例８について説明する。図２０において、７は冷蔵室３の一部に区画された低温室５内を前後に摺動する前方及び上方を開口したチルドケースで、９はそのチルドケース７外周を形成し庫内に固定設置された低温ボックスである。８はチルドケース７の前方開口部を閉塞するフタ体である。１６は前記チルドケース７の上方開口部を閉塞する上面冷却板で低温ボックス９の外周フランジ部に取り付けられている。
２２は低温ボックス９に背面部に設置された専用のイオン発生装置である。
【００５２】
低温ボックス９は冷蔵室３、天井面４ｂを一部開口した冷気吐出口より吹き出した冷気が上面冷却板１６の上側に流れ、上面より間接的に冷却されている。低温室５はフタ体８により前方は閉塞され、上方は上面冷却板１６で閉塞されているため、チルドケース７には直接冷気が入らない密閉構造となっている
【００５３】イオン発生装置２２により放出されたマイナスイオンはチルドケース７内に保存されている食品表面に付着し、食品表面がマイナスに帯電するため食品をラップなしまたは簡易包装で保存しても細菌・カビ等を反発するため、包装等の手間なく食品を高品質に保存することができる。」　
　
カ．「【００５４】実施例９．以下、この発明の実施例９について説明する。図２１において、２７は野菜室６内に設置された上方を開口した野菜ケース、２８は野菜ケース２７の上方を閉塞するように設置したフタ体である。
２２は野菜ケース２７の背面に設置された専用のイオン発生装置である。野菜ケース２７はフタ体２８により直接冷気の入らない密閉構造となっているので、実施例２と同様にラップなしで食品を保存しても細菌・カビ等をマイナスイオンで反発させ、高品質な保存ができる。
　
キ．上記カ．及び、図２１の記載における、イオン発生装置は、上記ウ．のマイナスイオンを発生するイオナイザ２３を備えたイオン発生装置２２に関する記載からみると、送風機２５とマイナスイオンを発生するイオナイザ２３を備えたものである。
　
　そして、図２１の実施例９に着目して上記記載カ．及び、それらの記載から導き出された事項キ．を総合すると、刊行物１には、以下の発明（以下「引用発明」という。）が記載されている。
　
「直接冷気が入らない、野菜室６内に設置された、フタ体２８により密閉された野菜ケース２７を備えた冷凍冷蔵庫であって、送風機２５とマイナスイオンを発生するイオナイザ２３を備えたイオン発生装置２２とを野菜ケース２７の背面部に設け、野菜ケース６内にマイナスイオンを野菜ケース２７に供給する冷凍冷蔵庫」
　
（２）同じく引用され、本願出願前に頒布された刊行物２には、「冷凍冷蔵庫」に関して図面とともに以下の記載がある。
　
ク．「【００４０】この実施形態では、オゾン発生器３６が冷蔵ゾーン２６における野菜室１４内に配置されている。詳細には、野菜室１４には、野菜を収納するための上方に開口する野菜容器５１が配され、
この野菜容器５１の上面開口を覆う蓋５２の上面にオゾン発生器３６が配置されている。
【００４１】このオゾン発生器３６は、図６において矢印Ａで示すように、冷気流路の冷気の流れ方向Ｃに沿って冷気を放出すると共に、
図６において矢印Ｂで示すように、蓋５２の上面に設けられた不図示の開口から、野菜容器５１内にオゾンを吹き出すことができるように構成されている。
　
ケ．「【００５２】
【発明の効果】
　以上説明したように、本発明の冷凍冷蔵庫によれば、冷蔵ゾーンと冷凍ゾーンとを分離した上で、その冷蔵ゾーンにオゾン発生器を設けたことにより、抗菌作用を必要とする冷蔵室のみを選択的にオゾン雰囲気にすることができ、冷蔵室の効率的な抗菌を行うことができる。」　
　
　そして、図６及び上記の記載ク．〜ケ．を総合すると、刊行物２には、以下の発明（以下「刊行物２記載の発明」という。）が記載されている。
　
「野菜室内に野菜容器及び野菜容器の上面開口を覆う蓋を設け、オゾン発生器を野菜容器の上面開口を覆う蓋の上面に配置し、該蓋の上面に設けられた開口から野菜容器内にオゾンを吹き出すことにより抗菌を行う冷凍冷蔵庫」　
　　
３．発明の対比
　本願補正発明と、引用発明とを対比すると、　
　引用発明における「野菜室６」は、本願補正発明の「貯蔵室」に、引用発明における「野菜ケース２７」は、本願補正発明の「収納容器」に、引用発明における「フタ体２８」は、本願補正発明の「収納容器カバー」にそれぞれ相当し、引用発明の「野菜室６内に設置された、フタ体２８により密閉された野菜ケース２７」なる設置形態は、本願補正発明の「貯蔵室内に収納容器及びこの収納容器の収納容器カバーを配置」する設置形態に相当し、直接冷気が入らないことは、間接冷却することに他ならないから、引用発明の「直接冷気が入らない、野菜室６内に設置された、フタ体２８により密閉された野菜ケース２７」は、密閉された野菜ケース２７内を間接冷却するものであって、引用発明の野菜室６については、本願補正発明の「貯蔵室内に収納容器及びこの収納容器の収納容器カバーを配置し前記収納容器内を間接冷却する間接冷却貯蔵室」に対応している。　
　さらに、引用発明における「冷凍冷蔵庫」は、本願補正発明の「冷蔵庫」に、引用発明における「マイナスイオンを発生するイオナイザ２３」は、本願補正発明の「マイナスイオン発生器」にそれぞれ相当する。　
　また、引用発明における「イオナイザ２３を備えたイオン発生装置２２を野菜ケースの背面部に設け」ることと、本願補正発明における「マイナスイオン発生器を収納容器カバーに設けた吐出口の真上に設置」したことは、「マイナスイオン発生器を設置」したことにおいて共通し、引用発明における「送風機」と、本願補正発明における「循環送風機」とは、「送風機」であることにおいて共通する。　
　さらに、引用発明における「マイナスイオンを野菜ケースに供給する」ことと、本願補正発明における「マイナスイオンを含む冷気のすべてを野菜に供給する」ことは、「マイナスイオンを収納容器に供給する」ことにおいて共通する。
　
　よって、両者の一致点、相違点は以下のとおりである。
　
［一致点］
 「貯蔵室内に収納容器及びこの収納容器の収納容器カバーを配置し前記収納容器内を間接冷却する間接冷却貯蔵室と、を設けた冷蔵庫であって、　
　送風機と、マイナスイオン発生器とを設置すると共に、前記マイナスイオン発生器で発生させたマイナスイオンを収納容器に供給するようにした冷蔵庫。」
　
［相違点１］
　本願補正発明においては、「強制通風冷却空気を導入して冷却させる直接冷却貯蔵室と、貯蔵室内に収納容器及びこの収納容器の収納容器カバーを配置し前記収納容器内を間接冷却する間接冷却貯蔵室と、を設けた」冷蔵庫であるのに対し、引用発明の冷蔵庫においては、上記間接冷却貯蔵室に加えて上記直接冷却貯蔵室も併せて設けられているかどうか不明な点。　
　
［相違点２］
　本願補正発明においては、「収納容器カバーは、冷蔵庫の固定部材とされてこの収納容器カバーに吐出口と吸込口とを有」するのに対し、引用発明においては、収納容器カバーが、冷蔵庫の固定部材か否か不明であり、収納容器カバーに吐出口と吸込口とを有するものではない点。
　
［相違点３］
　送風機と、マイナスイオン発生器の設置に関して、本願補正発明においては、「収納容器内の冷気を循環させる循環送風機と、マイナスイオン発生器とを、収納容器カバーの上面に設置すると共に、マイナスイオン発生器を収納容器カバーに設けた吐出口の真上に設置した」のに対し、引用発明においては、送風機と、マイナスイオン発生器とを収納容器の背面部に設けたものであって、送風機が収納容器の冷気を循環させているかも不明な点。
　
［相違点４］
　本願補正発明においては、「循環送風機によって吸込口から吸い込まれた収納容器内の冷気は、循環送風機によって吐出口から収納容器内へ吹き出されて冷気循環」するのに対し、引用発明においては、送風機によって、冷気が吸込口から吸い込まれ、吐出口から吹き出されることによって冷気循環を行うものかどうか不明な点
　
［相違点５］
　本願補正発明においては、「循環送風機の風下に設置されたマイナスイオン発生器」を備えるのに対し、引用発明においては、送風機とマイナスイオン発生器との相互の位置関係が特定されていない点。
　
［相違点６］
　マイナスイオン発生器で発生させたマイナスイオンを供給するにあたって、本願補正発明においては「マイナスイオンを含む冷気のすべてを野菜に直接吹き付けるようにした」のに対し、引用発明においては、野菜ケースの冷気を送風機によって循環してマイナスイオンを野菜ケースに供給するものであるが、そのすべてが野菜に直接吹き付けられるものかどうか不明な点。　
　
４．当審の判断
　そこで、上記相違点について検討する。
［相違点１について］
　上記刊行物１の記載ア．には、冷気が入り込むことなくチルドケース７の周囲が冷却されること、すなわち、間接的に冷却されるチルドケース７のほか、庫内ファン２１により送風される冷気により冷却される冷凍室２、冷蔵室３が設けられることが示されているように、冷蔵庫において間接冷却貯蔵室とともに、直接冷却室を設けたものは周知といえるから、引用発明の冷蔵庫において、間接冷却貯蔵室に相当する野菜ケースのほか、直接冷気が入ることにより冷却される冷凍室、冷蔵室などの直接冷却貯蔵室を併せて設けることにより、上記相違点１に係る本願補正発明の構成とすることは、当業者が容易になし得たものである。　
　
［相違点２〜４について］
　本願補正発明と、刊行物２記載の発明とを比較すると、刊行物２記載の発明における野菜室内の「野菜容器」は、本願補正発明の「収納容器」に、以下同様に、刊行物２記載の発明における「野菜容器の上面開口を覆う蓋」は、「収納容器カバー」に、「冷凍冷蔵庫」は、「冷蔵庫」にそれぞれ相当するから、　
　刊行物２に記載された発明は、「収納容器の上面を覆う収納容器カバーを設け、オゾン発生器を収納容器の上面開口を覆う収納容器カバーの上面に配置すると共に、収納容器カバーの上面に設けられた開口から収納容器内にオゾンを吹き出すことにより抗菌を行う冷蔵庫」であって、上記オゾンは、本願補正発明のマイナスイオンではないものの、ともにオゾンやマイナスイオンなどの処理剤により野菜室の抗菌、除菌を行うものという点で共通している。　
　そして、当該技術分野において収納容器カバーを固定部材とすることは従来周知（特開２０００−２０５７３２号公報、特開平５−１８０５５５号公報【図１】、【図２】、段落【０００９】の記載を参照）であり（以下「周知の技術事項１」という。）、固定部材である収容容器カバーの上部に収納容器内に対する処理を行う装置を設けることも、上記特開平５−１８０５５５号公報により示されているから、オゾンやマイナスイオンなどの処理剤により野菜室の抗菌、除菌を行う引用発明の送風機とマイナスイオン発生器を、刊行物２記載の発明に倣って、収容容器の背面部に設けることに代えて収容容器カバーの上面に配置して、収容容器カバーに設けた開口部からマイナスイオンを供給するとともに、上記「周知の技術事項１」を参酌して、送風機とマイナスイオン発生器を上面に設けた収容容器カバーを冷蔵庫の固定部材とすることは、当業者であれば容易になし得たものである。　
　その際、マイナスイオン発生器とともに循環送風機と吐出口、吸入口を設けて収納容器内の空気を循環させること、及び吐出口近傍においてマイナスイオンを発生させてマイナスイオンを供給することも従来周知の技術的事項（特開２０００−１４６４１４号公報【図２】、【図４】、特開平８−１４５５４５号公報【図２】を参照）であり（以下「周知の技術的事項２」という。）、しかも、上記２．（１）ア．イ．ウ．で摘示した刊行物１の記載事項（以下「刊行物１の記載事項」という。）には、野菜室、チルドケース等に設けられた吹出口、吸込口からオゾン、マイナスイオンを、冷気とともに送風機で強制循環させることも示されているから、引用発明における送風機を循環送風機とし、収容容器カバーに吐出口、吸入口を設けて収容容器内の冷気を循環させ、マイナスイオン発生器を吐出口近傍の位置とすべく、吐出口の上となるように設ける程度のことは、上記周知の技術的事項２及び、刊行物１の記載事項に照らせば当業者にとって格別なことではない。
　以上のようであるから、当業者が引用発明、刊行物２記載の発明、周知の技術的事項１，２、及び、刊行物１の記載事項に基づいて上記相違点２〜４に係る本願補正発明の構成とすることは、当業者が容易になし得たものである。　
　そして、その効果についても格別なものとはいえない。　
　
［相違点５について］
　マイナスイオン発生器を循環送風機の風下に設置することは周知の技術事項（前記特開２０００−１４６４１４号公報【図４】、特開平８−１４５５４５号公報【図２】を参照）である（以下「周知の技術事項３」という。）から、引用発明においてマイナスイオン発生器を循環送風機の風下とすることにより、上記相違点５に係る本願補正発明の構成とする程度のことは、当業者であれば容易になし得たことである。
　
［相違点６について］
　野菜ケース内の野菜にマイナスイオンを供給するにあたって、無駄なく、より多くのマイナスイオンを吹き付けようとすることは、当業者が通常考慮し得ることであるので、可及的に多くのマイナスイオンを野菜に吹き付けるため、上記既に検討済みの相違点２〜４に係る本願発明の構成を用いて、その「すべて」を野菜に直接吹き付けるようにすることは、当業者であれば容易に想到し得た事項である。
　
　そして、本願補正発明全体より得られる効果も、引用発明、刊行物２記載の発明、及び周知の技術的事項１〜３から、当業者であれば予測できた程度のものである。
　
　よって、本願補正発明は、引用発明、刊行物２記載の発明、周知の技術的事項１〜３及び、刊行物１の記載事項に基づいて、当業者が容易に発明することができたものであるから、特許出願の際、特許法第２９条第２項の規定により独立して特許を受けることができない。
　
５．結び
　以上のとおり、本件補正は、平成１８年法律第５５号改正附則第３条第１項によりなお従前の例とされる同法による改正前の特許法第１７条の２第５項において準用する同法第１２６条第５項の規定に違反するものであり、同法第１５９条第１項にて読み替えて準用する同法第５３条第１項の規定により却下されるものである。
　
　よって、結論の通り決定する。
　
第３．本願発明について
１．本願の発明
　本件補正は上述のように却下されたので、本願の請求項１に係る発明は、平成２０年４月２３日付けの手続補正により補正された特許請求の範囲の請求項１に記載された事項により特定される以下のとおりのものである。（以下「本願発明」という。）
　
「強制通風冷却空気を導入して冷却させる直接冷却貯蔵室と、貯蔵室内に収納容器及びこの収納容器の収納容器カバーを配置し、前記収納容器内を間接冷却する間接冷却貯蔵室とを設けた冷蔵庫であって、　
　前記収納容器カバーは前記冷蔵庫の固定部材とされてこの収納容器カバーに吐出口と吸込口とを有し、前記収納容器内の冷気を循環させる循環送風機と、マイナスイオン発生器とを、前記収納容器カバーの上面に設置すると共に、前記マイナスイオン発生器を前記収納容器カバーに設けた前記吐出口の真上に設置し、前記マイナスイオン発生器で発生させたマイナスイオンを含む冷気を野菜に直接吹き付けるようにした冷蔵庫。」
　
２．引用刊行物等は、第２．２．に記載したとおりのものである。
　
３．発明の対比・判断
　本願発明は、上記「第２」で検討した本願補正発明における、循環送風機により循環させる「収納容器内の冷気」から、収納容器カバーに設けられた「吸込口」から吸い込まれ、同じく収納容器カバーに設けられた「吐出口」から収納容器内へ吹き出されるという限定を省き、同様に、「マイナスイオン発生器」から、「循環送風機の風下に設置された」という限定を省き、さらに、「マイナスイオンを含む冷気のすべてを野菜に直接吹き付ける」から、「すべて」なる限定を省いたものである。
　そうすると、本願発明の構成要素を全て含み、さらに他の構成を付加したものに相当する本願補正発明が、前記「第２．４．」で記載したとおり、引用発明、刊行物２に記載された発明、及び周知の技術的事項１〜３に基づいて当業者が容易に発明することができたものであるから、本願発明も、引用発明、刊行物２に記載された発明、周知の技術的事項１〜３及び、刊行物１の記載事項に基づいて当業者が容易に発明することができたものである。
　
４．結び
　以上のとおり、本願発明は、引用発明、刊行物２に記載された発明、周知の技術的事項１〜３及び、刊行物１の記載事項に基づいて当業者が容易に発明することができたものであるから、特許法第２９条第２項の規定により特許を受けることができない。
　したがって、本願は、他の請求項については検討するまでもなく、拒絶すべきものである。
　
　よって、結論のとおり審決する。